(57)【要約】【課題】  動画コンテンツに付加された、ユーザ情報、コンテンツ内時刻情報を含むコメント群を適切な方法で表示し、動画コンテンツに対する評価の時系列変化を視覚的に整理し、また、動画コンテンツを題材にしたコミュニケーションを円滑にする技術。１つの動画コンテンツに複数のユーザがコメントをし、また、そのコメントがコンテンツ内時刻に関連付けられているとき、コメントの、内容と、発信者と、時系列的関係をコンテンツ全体で展望することが困難であること。【解決手段】  タイムライン上に、コメントの頻度と内容傾向を表すマーカーを表示することで、コンテンツ全体の内容傾向と時系列的関係を示す。また、コンテンツ内シーン周辺のコメントについて、縦に発信者を並べ、横に時間軸を設定して表示することで、コメントの発信者と時系列的関係を示す。【選択図】  図１３
2008278088.tif 000002
【特許請求の範囲】
【請求項１】
予め保存された、または随時録画される動画コンテンツと、1人または複数人の視聴者が前記コンテンツに関連するコメントデータを投稿できるコメント入力装置と、
視聴者によって投稿された、投稿が行われたコンテンツ内時刻の情報を含むコメントデータが蓄積できる情報保存装置と、
動画コンテンツを視聴者が再生、視聴できる再生装置と、
蓄積されたコメントデータを視聴者が閲覧できる表示装置を備え、
蓄積されたコメントデータは、コメントの内容または関連情報により複数のカテゴリに分類され、前記表示装置は、コンテンツ内時刻周辺に投稿されたコメントが属するカテゴリの内、最も投稿者から支持されているカテゴリを、カテゴリに属するコメント数、またはコメントに重み付けを行った結果のカテゴリのポイント数とともにシーンごとに時系列順に表示することを特徴とする、コメント管理装置。
【請求項２】
ネットワーク上から動画コンテンツを取得する通信装置と、
前記コンテンツに関する、投稿が行われたコンテンツ内時刻の情報を含むコメントデータをネットワーク上から取得する通信装置と、
動画コンテンツを視聴者が再生、視聴できる再生装置と、
蓄積されたコメントデータを視聴者が閲覧できる表示装置を備え、
取得されたコメントデータは、コメントの内容または関連情報により複数のカテゴリに分類され、前記表示装置は、コンテンツ内時刻周辺に投稿されたコメントが属するカテゴリの内、最も投稿者から支持されているカテゴリを、カテゴリに属するコメント数、またはコメントに重み付けを行った結果のカテゴリのポイント数とともにシーンごとに時系列順に表示することを特徴とするコメント管理装置。
【請求項３】
請求項１または2のコメント管理装置において、動画内の時間軸を視覚的に表示し、時間軸をシーンに分割し、シーンごとに最も多くのコメントが属するカテゴリのみを画像で視覚的に表示することで、主要なコメントの推移を一瞥可能な形式で表示することを特徴とする表示方法。
【請求項４】
請求項１または2のコメント管理装置において、コメントの投稿者の、プロフィールや発言傾向を基にコメントに重み付け処理を行い、その結果得られたポイント数に基づき、コメント群の主要意見を決定することを特徴とするコメント解析手段。
【請求項５】
請求項１または2のコメント管理装置において、動画内の時間軸を視覚的に表示し、時間軸をシーンに分割し、請求項３のコメント解析手段を用いて抽出したシーンごとの主要意見のみを画像で視覚的に表示することで、主要なコメントの推移を一瞥可能な形式で示すことを特徴とする表示方法。
【請求項６】
請求項１のコメント入力装置において、動画を再生するとともに、動画内の時間軸を視覚的に表示し、時間軸上にアイコンまたはマーカーを配置することで、コメントがつけられた時刻を視覚的に表示することを特徴とする表示方法。
【発明の詳細な説明】
【技術分野】
【０００１】
本発明は、動画コンテンツに対し、コメントを入力する機能、または、動画コンテンツにつけられたコメントを表示する機能を持つ装置に関する。
【背景技術】
【０００２】
掲示板、チャット、ブログなどの、コメント投稿システムにおいては、時系列順に、入力文字列が列挙されるという表示形式を採っていた。動画や、プレゼンテーションなどのコンテンツを引き合いに出して、コメントを入力する、メモを入力する、コミュニケーションを行うなどの行為を行う場合、このようなシステムでは、入力コメント同士、または入力コメントとコンテンツの時間的関係を把握することが容易でなかった。また、特許文献１、特許文献２のように、動画コンテンツと、それに関する掲示板のコメントの頻度をグラフで表し、コンテンツの注目すべき場面を選択する技術がある。
【０００３】
【特許文献１】特開2005-295266号公報広報
【特許文献２】特開2006-155384号公報広報
【発明の開示】
【発明が解決しようとする課題】
【０００４】
１つの動画コンテンツに複数のユーザがコメントをし、また、そのコメントがコンテンツ内時刻に関連付けられているとき、コメントの、内容と、発信者と、時系列的関係をコンテンツ全体、またはシーンごとで展望することが困難である。
【０００５】
特許文献1により開示されたコメント閲覧技術では、条件に合致するコメント本文を抽出することにより、特定の話題に関するコメントの分布を知ることができるが、2つ以上の話題を同時に扱うことができないので、コンテンツ内の話題の遷移を一瞥することができない。それに対し、本装置では、コメント数だけでなく、コメント内容傾向の遷移を時系列表示することで、ユーザの見たい場面の検索を容易にしている。
【０００６】
特許文献２では、コメント入力システムについて開示されている。それに対し、本装置では、自分のコメント入力状況を時系列的に表示することで、コメントの補足や記入漏れの発見を容易にし、また、コメントをしおりとして用いることを可能にしている。
【課題を解決するための手段】
【０００７】
本発明は、動画コンテンツ再生機能と、動画コンテンツに対して付けられたコメントデータを取得する手段と、コメントを内容や、コメントに付加された情報によってカテゴリ分類する手段と、カテゴリに属するコメント数を表示する手段と、カテゴリとコメント数の時系列分布状況を表示する手段を備え、カテゴリごとの総コメント数を表示し、またカテゴリ分類の結果を動画コンテンツと連動する時間軸に分布が一瞥できるように表示することで、そのコンテンツ全体に付けられた評価傾向と、シーンごとの評価傾向を一瞥で把握できるようにすることを要旨とする。
【０００８】
以降の本発明の説明中、動画コンテンツとは、映像情報と音情報を含むコンテンツに限定されること無く、少なくとも画像情報を含み、時系列要素または順序要素を有するあらゆるコンテンツを指す。またコメントとは、文字列に限定されること無く、画像、音声、記号など、コミュニケーションを図る上で利用可能な情報を含む。
【発明の効果】
【０００９】
本発明のコメント入力システムによれば、タイムライン上のマーカー表示によって、ユーザが自身のコメント入力状況を時系列的に把握することができるので、コメントの入力漏れを防ぎ、自分のコメントの補足や、訂正を簡便に行うことができる。また、コメント表示部で、自分の入力したコメントを一括表示し、コメントを指定すると、そのコメントが入力された場面を再生することができるので、コンテンツに対する、個人的なメモやしおりとしての利用ができるという効果を得られる。
【００１０】
本発明のコメント閲覧システムによれば、コメントを、内容によってカテゴリに分類する。タイムライン上では、ある時間帯の中で最も優勢なカテゴリの内容と、コメント数を同時に表示することにより、そのコンテンツの中で、視聴者の意見がどのように遷移したか、どれだけの視聴者が注目したか、といった情報を一目で把握することができる、という効果が得られる。また、コメント詳細表示部によって、コメントの詳細を表示することができる。また、視聴者の集団が少数で構成されるとき、例えば、本装置を限られたコミュニティ内で利用するとき、コメントを、発言者によって分類することができる。この機能と、コメント詳細表示画面の機能によって、メッセージを残す、会話録として用いるなど、同時にアクセスできない場合のコミュニケーション手段として用いることができる、という効果を得られる。ここで、音声をコメントとして扱う場合、コメント情報として、韻律、音量などの情報が含まれる。これらを解析対象に加えることで、文字列のコメントでは判別できない、視聴者の感情、雰囲気などのパラメータをもつカテゴリでコメントを分類し、視聴者のコンテンツに対する反応の時系列遷移を、タイムライン上に、一瞥が可能な形式で表示できる。音声をコメントとして扱う場合、音声認識を行い、文字列情報に変換した上で、上記の処理を行うこともできる。文字画像をコメントとして扱う場合、文字認識などの画像認識を行い、文字列情報に変換した上で、上記の処理を行うこともできる。その場合、ストロークなどの情報を用いて、視聴者の状態を推定し、タイムライン上に一瞥が可能な形式で表示できる。写真などの画像に文字列を付与して複合コメントとして扱うこともできる。
【発明を実施するための最良の形態】
【００１１】
以下、本発明の実施の形態について説明していく。
ここで説明する実施形態では、本発明は、コンテンツに対してユーザが行うコメント入力を支援する装置（A）と、複数のユーザに入力されたコメントを統合的に一覧表示する装置（B）、各種データを保存するサーバ（C）に分かれる。それぞれの装置は、以下のような機能を有している。
(A)
動画コンテンツ再生機能
ユーザコメント入力機能
入力コメント登録機能
登録コメント表示機能(コメント入力用)
(B)
動画コンテンツ再生機能
登録コメント表示機能(コメント閲覧用)
登録コメント分類・統計機能
コメント分布・統計結果表示機能
(C)
動画コンテンツ保存機能
入力コメント保存機能
コメント解析機能
解析結果保存機能
ユーザは(A)または(B)を操作し、(A)、(B)は(C)に通信接続して動作する。ただし、(C)との間でダウンロード、アップロードが必要ないときは、オフラインで作業をすることができる。
【００１２】
図１は(A)と(C)を用いたコメント入力の処理を示すブロック図である。図１に示すとおり、コメント入力システム(A)は、ユーザが動画コンテンツの再生を制御する再生位置指定装置と、動画コンテンツを再生する再生部と、コメントを入力するコメント入力装置と、コメント入力履歴を保存する入力履歴保存部と、入力履歴を用いてユーザのコメント入力を支援する入力支援部と、動画コンテンツに付与されたコメントを動画と同期表示するコメント表示装置から構成される。再生位置指定装置としては、例えば、リモコンやディスプレイ上のボタンが用いられる。コメント入力の手段としては、例えば、キーボード入力や、リモコン入力、音声入力マイクなどが用いられる。コメント表示の手段としては、ディスプレイや音声出力スピーカなどが用いられる。音声コメントの入力手段としては、音声入力マイクが用いられる。画像コメントの入力手段としては、ペン入力や、カメラ、画像ファイルの添付などが用いられる
図２はコメント入力システム(A)の処理フローを表す。動画コンテンツの再生に合わせて既に登録されたコメントを表示する。同時にコメントをつける他ユーザの有無によって、他ユーザのコメントを表示するかどうか判定される。動画とコメントを表示しながらユーザのコメント入力を待つ。コメント入力があると、サーバ（C）にコメント情報を送信し、同時にコメント入力システム（A）内の登録コメント表示部、タイムライン表示部、入力履歴表示部に反映させる。
【００１３】
図３は(B)と(C)を用いたコメント閲覧の処理を示すブロック図である。図３に示すとおり、コメント閲覧システム(B)は、ユーザが動画コンテンツの再生を制御する再生位置指定装置と、動画コンテンツを再生する再生部と、動画コンテンツ全体に対するコメントの傾向を表示するコメント頻度・分布表示装置と、コメント本文を動画と同期表示するコメント詳細表示装置と、動画コンテンツに付与されたコメントを表示するコメント表示装置から構成される。
【００１４】
図４はコメント入力システム(A)の処理フローを表す。動画コンテンツ再生に合わせてコメントを表示する。
【００１５】
サーバ(C)は動画コンテンツを記録するコンテンツ保存装置と、コメント内容、投稿者、登校時間などの情報を記録するコメント情報保存装置と、コメント情報保存装置内のコメントを解析するコメント解析部と、コメント解析部の解析結果を記録する解析結果保存装置から構成され、(A)に対して、動画コンテンツの配信、コメントの受信を行い、(B)に対して、動画コンテンツの配信、コメント情報の配信、コメント解析結果の配信を行う。
【００１６】
コメント解析部では、コメントを、いくつかのカテゴリに分類する処理を行う。
【００１７】
例えば、コメント内容に応じたカテゴリ分類を行う。コメント解析部は、単語を意味によってカテゴリ分けした辞書データベースを持つ。コメント本文に対し形態素解析を行い、コメント本文に含まれる単語を抽出する。抽出された単語と辞書データベースとの照合によって、コメントをカテゴリに分類することができる。辞書データベースは、予め、コンテンツ内容の事前情報に即して定義することができる。また、コメント投稿者によって投稿されたコメントに応じて、辞書の内容を動的に変化させることもできる。
【００１８】
その他にも、コメント投稿者をカテゴリとする分類、コメント同士の文脈的関係性をカテゴリとする分類などが考えられる。
【００１９】
次に、それぞれの装置の画面構成、およびユーザの操作方法と、その結果について説明する。
【００２０】
図５はコメント入力システム(A)の画面レイアウトを示す。図５において、スクリーンに向かって左側に登録コメント表示部、右側に入力履歴表示部、中央上段に動画コンテンツ再生部、中央下段にコンテンツのタイムライン表示部及び再生制御パネルが設定されている。また、コメント入力時にはコメント入力ウィンドウ中央下段に現れる。また、図５はコメント入力システム（A）において、コンテンツ内時刻を移動する際の操作方法と結果も表している。図６はコメント入力システム（A）においてコメント入力をする際の操作方法と結果を表している。図７は登録コメント表示部、図８は入力履歴表示部、図９はタイムライン表示部及び操作パネルのレイアウトを表す。これらのレイアウトは一例である。さらにユーザが好みによって各パーツの配置や大きさを変更することができる。コメント入力システムでは、ユーザは、再生されたコンテンツを見ながらコメントを入力することができる。ユーザからのキーボード入力があると、コメント入力ウィンドウが表示される。ウィンドウ内でコメントが入力されると、ユーザのコンテンツに対するコメントとして保存され、コメント表示部に表示される。同時に、コメントの入力された時刻を示すマーカーがタイムラインに追加表示される。また、入力履歴表示部に入力履歴が追加表示される。キーボードによるコメント入力の代わりに、入力履歴表示部のコメントボックスをクリックすることでもコメントを入力することができる。入力履歴表示部の入力履歴は、入力の量が多くなると古いものから消去されるが、消去させたくない入力履歴を指定して、保護することもできる。入力履歴表示部には、履歴ではなく、ユーザが任意に登録した語句を表示させるようにすることもできる。
【００２１】
コメントの表示形式としては、コンテンツ内時刻の前後4-6個、合計8-12個程度のコメントがコメント欄に表示され(個数は画面表示領域に依存する。タイムラインとコメント表示欄は連動しており、コンテンツ内時刻の移動によって、コメント表示欄に表示されるコメントが変化する。コメント表示欄では欄の大きさとコメントの長さよってコメントが表示しきれない場合があるが、その場合は表示できる前半部分のみを表示する。ただし、全文を参照する手段として、例えば、マウスカーソルを合わせるとポップアップ表示される、といった機能を備える。一度にコメント欄に表示されるコメント数は限定されるが、全てのコメントの存在が、マーカーとしてタイムライン上に表示される。このマーカーは色分けや模様などによって分類することが可能になっている。コメントの内容傾向を分類し、色分けしてタイムライン上に表示することで、コンテンツの内容傾向の時間的変化を一瞥することができる。コメントの内容傾向の分析は、例えば、コメントの文字列の形態素解析の結果と、類義語を定義した辞書データベースとの要素比較によって行う。コメント表示欄には、タイムライン上のマーカーと同じマーカーが表示され、コメント欄とタイムライン上のコメントの対応付けが視覚化されている。タイムライン上の地点を指定することでその場面に移動することができる。また、コメント表示欄のコメントを指定することでコメントがつけられている場面に移動することができる。
【００２２】
音声コメントの場合は、登録コメント表示部と、入力履歴には、投稿者と、投稿時刻と、コメントの長さのみを表示する。表示されたコメントのうち、任意のコメントを指定すると、内容が音声スピーカを通じて出力される。画像のみのコメントの場合は、登録コメント表示部と、入力履歴には、縮小画像が表示される。
【００２３】
図１０はコメント閲覧システム(B)のレイアウト、及び操作方法と、その結果を示す。図１０において、左側上段に周辺コメント表示部、左側下段にコメント詳細表示部、右側上段にコメント統計表示部、右側中段に動画コンテンツ再生部、右側下段にタイムライン及び再生制御パネルが設定されている。このレイアウトは一例である。さらにユーザが好みによって各パーツの配置や大きさを変更することができる。コメント閲覧システムでは、コメント入力システム(A)によってサーバ(C)に蓄積されたコメントを表示することができる。
【００２４】
図１１は周辺コメント表示部のレイアウトを示す。周辺コメント表示部では、1つのコンテンツに対して複数のコメント投稿者が付けたコメントを、時系列的配置が分かる形で一覧表示される。例えば、横軸を時間軸として、コメント投稿者の人数分の時間軸を縦に並べる。また、画面上に表示される時間軸の範囲はコンテンツ内の一定の時間である。この時間は動画コンテンツ全体の長さと画面表示領域に依存する。周辺コメント表示部には、コンテンツ内時刻を示す縦線が表示されている。この縦線を現時刻線と呼ぶ。時間軸とコメント投稿者は1対1で対応し、1本の時間軸には１人のコメント投稿者のコメントが全て配置される。ただし、実際に表示されるのは時刻線を中心とした、一定範囲時間内のコメントのみである。コメントはコメントボックスの中に表示され、コメントボックスは、コメントが入力された時刻に対応する時間軸上の位置に表示される。また、コメントボックスは色分けまたは模様による分類を行うことができる。後述のタイムライン上のマーカーの色分け、模様分けと対応する。色分けの目的は、コメント入力システムと同様、コメント内容による分類である。分類は、例えば、コメント文の文字列の形態素解析の結果と、類義語を定義した辞書データベースとの要素比較によって行う音声コメントの場合は、周辺コメント表示部には、投稿者と、投稿時刻と、コメントの長さのみを表示する。表示されたコメントのうち、任意のコメントを指定すると、内容が音声スピーカを通じて出力される。画像コメントの場合は、周辺コメント表示部には、縮小画像が表示される。画像と文字列の複合コメントの場合には、周辺コメント表示部には、文字列の前半部分と、画像の存在を示すアイコンが表示される。表示されたコメントのうち、任意のコメントを指定すると、詳細コメント表示部に、文字列全文と、画像が表示される。
【００２５】
図１２はタイムライン表示部および操作パネルのレイアウトを示す。タイムライン表示部には、コンテンツ全体の時間軸が表示される。この時間軸上には、コンテンツに対する総合的コメント内容傾向が、マーカーの大きさ、及び色または模様を用いて時系列表示される。コンテンツ時間を分割したある時間帯をシーンと呼ぶ。タイムライン表示部では、図１２のように、タイムラインを複数に分割したものをシーンフレームとしている。シーンフレームの分割は、動画コンテンツの内容を考慮して任意に分割しても、時間的に等分してもよい。
【００２６】
シーンフレームにはコメントマーカーが表示される。全てのコメント投稿者のコメントの内容とコメント頻度を統計的に、または重みづけを行って時間帯ごとに分析することで決定される、コンテンツ全体のコメント内容傾向に従ってコメントマーカーは表示される。マーカーの色または模様はコメントのカテゴリと対応しており、コメントの内容を反映する。類似した内容のコメントは同色のマーカーに含まれる。マーカーの大きさはコメント数、または重み付けの結果の評価値を反映する。マーカーの表示規則には主要コメント分布表示法（図１３）と、特定コメント分布表示法（図１４）の２とおりがある。
【００２７】
図１３は主要コメント分布表示法のレイアウトを示す。あるシーンフレームに登録されているコメントが属するカテゴリの中で、最もコメント数の多い、または最も獲得ポイントの多いカテゴリをそのシーンフレーム内の１位のカテゴリと呼ぶ。ここで、獲得ポイントとは、コメントに対して重み付けを行うことで算出される。たとえば、権威のある投稿者のコメントには多くのポイントを与える、投稿者の普段の発言傾向と異なる発言をしたコメントには多くのポイントを与える、といった方法が考えられる。主要コメント分布表示法では、そのシーンフレーム内の１位のカテゴリのコメントのみが、マーカーとして表示される。主要コメント分布表示法１では、１つのシーンには、１つのマーカーのみが表示される。ただし、そのシーンのコメント数またはポイント数が０、または規定値に満たない場合、マーカーは表示されない。１つのシーンに複数のマーカーが存在する場合は、コメント数または評価値が最も多い、１位のマーカーのみが表示される。ただし１位のマーカーと２位のマーカーのコメント数またはポイント数に大きな差がない場合は、そのシーンに対するコメントの内容傾向は単一でない、と判定し、「その他」のカテゴリのマーカーが表示されることになる。主要コメント分布表示法２では、１位のマーカーだけでなく、総コメント数を表す外郭マーカーも表示する。これによって、シーンフレーム内の総コメント数と、１位コメントの割合を知ることができる。これらのルールでマーカーを表示することで、コンテンツ内の時間的なコメント傾向の変化をユーザに視覚的に示すことができる。ユーザはタイムライン上の時系列コメント傾向を参照して、コンテンツ内の見たいシーンを判断し、タイムライン上のシーンを選択することで、そのシーンから動画コンテンツを視聴することができる。
【００２８】
図１４は特定コメント分布表示法のレイアウトを示す。特定コメント分布表示法では、特定の語句を含むコメントや、特定のカテゴリに属するコメントのマーカーのみを表示する。ここで、特定の語句は、検索ワードを入力することで、特定のカテゴリは、コメント統計結果表示部上のカテゴリ名の書かれた領域をクリックすることで、指定できる。また、2つ以上のワード、カテゴリを指定し、アンド検索を行うこともできる。特定コメント表示法には、特定コメントのマーカーのみを表示する特定コメント分布表示法１と、総コメント数を外郭マーカーとして表示できる特定コメント分布表示法がある。特定コメント分布表示法では、表示するコメントマーカーを指定することで、シーンフレーム内で１位になれなかったコメントマーカーを表示することができ、探したいシーンが分かっているユーザにとっては、有用なコメント分布を表示できる。
【００２９】
図１５はコメント統計結果表示部のレイアウトを示す。コメント統計結果表示部では、動画コンテンツ全体に付けられたコメントを、内容傾向によって分類し、それぞれ分類されたカテゴリの総コメント数または重み付け評価値を集計したものを棒グラフや数値などによって表示する。これらはコンテンツ全体に対するコメント投稿者全員の評価を総括的に示す。同時に、コメントの分類カテゴリの凡例としての役割も担う。また、カテゴリ項目を指定することで、タイムライン表示部のコメントマーカーを強調表示することができる。
【実施例１】
【００３０】
動画コンテンツに対し、単独または複数ユーザそれぞれが一人でコメントを入力し、全員のコメントを統合することでコンテンツの評価や、コミュニケーションを行うシステム。
【実施例２】
【００３１】
動画コンテンツに対し、複数のユーザが同時にコメントを入力し、互いのコメントを提示しあうことで、コンテンツの評価や、コミュニケーションを行うシステム。
【００３２】
本発明は上述した実施形態、実施例に限定されるものではなく、本発明に属する範囲内において、実施形態、実施例を変形して実施することが可能である。
【図面の簡単な説明】
【００３３】
【図１】コメント入力システム（A）とサーバ（C）を用いたコメント入力の処理を示すブロック図である。
【図２】コメント入力システム(A)の処理フローを示す。
【図３】コメント閲覧システム(B)とサーバ(C)を用いたコメント閲覧の処理を示すブロック図である。
【図４】コメント入力システム(A)の処理フローを示す。
【図５】コメント入力システム(A)の画面レイアウトを示す。
【図６】コメント入力システム（A）においてコメント入力をする際の操作方法と結果を示す。
【図７】登録コメント表示部のレイアウトを示す。
【図８】入力履歴表示部のレイアウトを示す。
【図９】タイムライン表示部及び操作パネルのレイアウトを示す。
【図１０】コメント閲覧システム(B)のレイアウト、及び操作方法と、その結果を示す。
【図１１】周辺コメント表示部のレイアウトを示す。
【図１２】タイムライン表示部および操作パネルのレイアウトを示す。
【図１３】主要コメント分布表示法のレイアウトを示す。
【図１４】特定コメント分布表示法のレイアウトを示す。
【図１５】コメント統計結果表示部のレイアウトを示す。
【図１】
2008278088.tif 000003
【図２】
2008278088.tif 000004
【図３】
2008278088.tif 000005
【図４】
2008278088.tif 000006
【図５】
2008278088.tif 000007
【図６】
2008278088.tif 000008
【図７】
2008278088.tif 000009
【図８】
2008278088.tif 000010
【図９】
2008278088.tif 000011
【図１０】
2008278088.tif 000012
【図１１】
2008278088.tif 000013
【図１２】
2008278088.tif 000014
【図１３】
2008278088.tif 000015
【図１４】
2008278088.tif 000016
【図１５】
2008278088.tif 000017